【手続補正書】
【提出日】平成28年11月21日(2016.11.21)
【手続補正１】
【補正対象書類名】明細書
【補正対象項目名】００７３
【補正方法】変更
【補正の内容】
【００７３】
こうして、ハイブリッド偏光子を有する発光ディスプレイの実施形態が開示される。当業者であれば分かるように、本明細書に記載した構成は、開示されたもの以外の実施形態を用いて実施することができる。開示された実施形態は、例示を目的として提示したものであり、限定としてではない。
本発明の実施態様の一部を以下の態様［１］−［２０］に記載する。
［項目１］
発光ディスプレイであって、
ＯＬＥＤと、
第１の複屈折反射偏光子と、
光学的に前記ＯＬＥＤと前記第１の複屈折反射偏光子との間の第２の複屈折反射偏光子と、
光学的に前記第１の複屈折反射偏光子と前記第２の複屈折反射偏光子との間の１００：１未満のコントラスト比を有する第１の線形吸収偏光子と、
１００：１未満のコントラスト比を有する第２の線形吸収偏光子であって、前記第１の複屈折反射偏光子が、光学的に前記第２の線形吸収偏光子と前記第１の線形吸収偏光子との間にある、第２の線形吸収偏光子と、
光学的に前記ＯＬＥＤと前記第２の複屈折反射偏光子との間の構造化された光学フィルムと、を備える、発光ディスプレイ。
［項目２］
前記第１の線形吸収偏光子が、１０：１未満のコントラスト比を有し、前記第２の線形吸収偏光子が、１０：１未満のコントラスト比を有する、項目１に記載の発光ディスプレイ。
［項目３］
前記第１の複屈折反射偏光子、前記第２の複屈折反射偏光子、前記第１の線形吸収偏光子、及び前記第２の線形吸収偏光子の各々の通過軸が、実質的に整合される、項目１又は２に記載の発光ディスプレイ。
［項目４］
前記構造化された光学フィルムが、ナノ構造を備える、項目１〜３のいずれか一項に記載の発光ディスプレイ。
［項目５］
前記構造化された光学フィルムが、一次元ナノ構造を備える、項目１〜４のいずれか一項に記載の発光ディスプレイ。
［項目６］
前記構造化された光学フィルムが、二次元ナノ構造を備える、項目１〜４のいずれか一項に記載の発光ディスプレイ。
［項目７］
光学的に前記構造化された光学フィルムと前記第２の複屈折反射偏光子との間に４分の１波長要素を更に備える、項目１〜６のいずれか一項に記載の発光ディスプレイ。
［項目８］
前記第１の複屈折反射偏光子、前記第２の複屈折反射偏光子、前記第１の線形吸収偏光子、前記第２の線形吸収偏光子、及び前記構造化された光学フィルムが、複合フィルムを形成する、項目１〜７のいずれか一項に記載の発光ディスプレイ。
［項目９］
前記第１の複屈折反射偏光子、前記第２の複屈折反射偏光子、前記第１の線形吸収偏光子、前記第２の線形吸収偏光子、及び前記４分の１波長要素が、複合フィルムを形成する、項目７に記載の発光ディスプレイ。
［項目１０］
前記第１の複屈折反射偏光子、前記第２の複屈折反射偏光子、前記第１の線形吸収偏光子、前記第２の線形吸収偏光子、前記４分の１波長要素、及び前記構造化された光学フィルムが、複合フィルムを形成する、項目７に記載の発光ディスプレイ。
［項目１１］
発光ディスプレイであって、
ＯＬＥＤと、
第１の複屈折反射偏光子と、
光学的に前記ＯＬＥＤと前記第１の複屈折反射偏光子との間の第２の複屈折反射偏光子と、
光学的に前記第１の複屈折反射偏光子と前記第２の複屈折反射偏光子との間の１０：１未満のコントラスト比を有する第１の線形吸収偏光子と、
１０：１未満のコントラスト比を有する第２の線形吸収偏光子であって、前記第１の複屈折反射偏光子が、光学的に前記第２の線形吸収偏光子と前記第１の線形吸収偏光子との間にある、第２の線形吸収偏光子と、
光学的に前記ＯＬＥＤと前記第２の複屈折反射偏光子との間の構造化された光学フィルムと、
光学的に前記構造化された光学フィルムと前記第２の複屈折反射偏光子との間の４分の１波長要素と、を備える、発光ディスプレイ。
［項目１２］
前記第１の複屈折反射偏光子、前記第２の複屈折反射偏光子、前記第１の線形吸収偏光子、及び前記第２の線形吸収偏光子の各々の通過軸が、実質的に整合される、項目１１に記載の発光ディスプレイ。
［項目１３］
前記第１の複屈折反射偏光子、前記第２の複屈折反射偏光子、前記第１の線形吸収偏光子、前記第２の線形吸収偏光子、及び前記４分の１波長要素が、複合フィルムを形成する、項目１１又は１２に記載の発光ディスプレイ。
［項目１４］
前記第１の複屈折反射偏光子、前記第２の複屈折反射偏光子、前記第１の線形吸収偏光子、前記第２の線形吸収偏光子、前記４分の１波長要素、及び前記構造化された光学フィルムが、複合フィルムを形成する、項目１１又は１２に記載の発光ディスプレイ。
［項目１５］
前記構造化された光学フィルムが、ナノ構造を備える、項目１１〜１４のいずれか一項に記載の発光ディスプレイ。
［項目１６］
前記構造化された光学フィルムが、一次元ナノ構造を備える、項目１１〜１５のいずれか一項に記載の発光ディスプレイ。
［項目１７］
前記構造化された光学フィルムが、二次元ナノ構造を備える、項目１１〜１５のいずれか一項に記載の発光ディスプレイ。
［項目１８］
発光ディスプレイであって、
ＯＬＥＤと、
第１の複屈折反射偏光子と、
光学的に前記ＯＬＥＤと前記第１の複屈折反射偏光子との間の第２の複屈折反射偏光子と、
光学的に前記第１の複屈折反射偏光子と前記第２の複屈折反射偏光子との間の１００：１未満のコントラスト比を有する第１の線形吸収偏光子と、
１００：１未満のコントラスト比を有する第２の線形吸収偏光子であって、前記第１の複屈折反射偏光子が、光学的に前記第２の線形吸収偏光子と前記第１の線形吸収偏光子との間にある、第２の線形吸収偏光子と、
光学的に前記ＯＬＥＤと前記第２の複屈折反射偏光子との間の非偏光保護要素と、を備える、発光ディスプレイ。
［項目１９］
前記第１の線形吸収偏光子が、１０：１未満のコントラスト比を有し、前記第２の線形吸収偏光子が、１０：１未満のコントラスト比を有する、項目１８に記載の発光ディスプレイ。
［項目２０］
前記第１の複屈折反射偏光子、前記第２の複屈折反射偏光子、前記第１の線形吸収偏光子、及び前記第２の線形吸収偏光子の各々の通過軸が、実質的に整合される、項目１８又は１９に記載の発光ディスプレイ。
【手続補正２】
【補正対象書類名】特許請求の範囲
【補正対象項目名】全文
【補正方法】変更
【補正の内容】
【特許請求の範囲】
【請求項１】
発光ディスプレイであって、
ＯＬＥＤと、
第１の複屈折反射偏光子と、
光学的に前記ＯＬＥＤと前記第１の複屈折反射偏光子との間の第２の複屈折反射偏光子と、
光学的に前記第１の複屈折反射偏光子と前記第２の複屈折反射偏光子との間の１００：１未満のコントラスト比を有する第１の線形吸収偏光子と、
１００：１未満のコントラスト比を有する第２の線形吸収偏光子であって、前記第１の複屈折反射偏光子が、光学的に前記第２の線形吸収偏光子と前記第１の線形吸収偏光子との間にある、第２の線形吸収偏光子と、
光学的に前記ＯＬＥＤと前記第２の複屈折反射偏光子との間の構造化された光学フィルムと、を備える、発光ディスプレイ。
【請求項２】
前記第１の複屈折反射偏光子、前記第２の複屈折反射偏光子、前記第１の線形吸収偏光子、及び前記第２の線形吸収偏光子の各々の通過軸が、実質的に整合される、請求項１に記載の発光ディスプレイ。
【請求項３】
前記構造化された光学フィルムが、ナノ構造を備える、請求項１に記載の発光ディスプレイ。
【請求項４】
光学的に前記構造化された光学フィルムと前記第２の複屈折反射偏光子との間に４分の１波長要素を更に備える、請求項１に記載の発光ディスプレイ。
【請求項５】
発光ディスプレイであって、
ＯＬＥＤと、
第１の複屈折反射偏光子と、
光学的に前記ＯＬＥＤと前記第１の複屈折反射偏光子との間の第２の複屈折反射偏光子と、
光学的に前記第１の複屈折反射偏光子と前記第２の複屈折反射偏光子との間の１０：１未満のコントラスト比を有する第１の線形吸収偏光子と、
１０：１未満のコントラスト比を有する第２の線形吸収偏光子であって、前記第１の複屈折反射偏光子が、光学的に前記第２の線形吸収偏光子と前記第１の線形吸収偏光子との間にある、第２の線形吸収偏光子と、
光学的に前記ＯＬＥＤと前記第２の複屈折反射偏光子との間の構造化された光学フィルムと、
光学的に前記構造化された光学フィルムと前記第２の複屈折反射偏光子との間の４分の１波長要素と、を備える、発光ディスプレイ。
【請求項６】
前記第１の複屈折反射偏光子、前記第２の複屈折反射偏光子、前記第１の線形吸収偏光子、及び前記第２の線形吸収偏光子の各々の通過軸が、実質的に整合される、請求項５に記載の発光ディスプレイ。
【請求項７】
前記構造化された光学フィルムが、ナノ構造を備える、請求項５に記載の発光ディスプレイ。
【請求項８】
発光ディスプレイであって、
ＯＬＥＤと、
第１の複屈折反射偏光子と、
光学的に前記ＯＬＥＤと前記第１の複屈折反射偏光子との間の第２の複屈折反射偏光子と、
光学的に前記第１の複屈折反射偏光子と前記第２の複屈折反射偏光子との間の１００：１未満のコントラスト比を有する第１の線形吸収偏光子と、
１００：１未満のコントラスト比を有する第２の線形吸収偏光子であって、前記第１の複屈折反射偏光子が、光学的に前記第２の線形吸収偏光子と前記第１の線形吸収偏光子との間にある、第２の線形吸収偏光子と、
光学的に前記ＯＬＥＤと前記第２の複屈折反射偏光子との間の非偏光保護要素と、を備える、発光ディスプレイ。
【請求項９】
前記第１の複屈折反射偏光子、前記第２の複屈折反射偏光子、前記第１の線形吸収偏光子、及び前記第２の線形吸収偏光子の各々の通過軸が、実質的に整合される、請求項８に記載の発光ディスプレイ。